(57)【要約】【課題】外力を受けると発光装置を内蔵する内球体が外球体の水中で自在に回転して、興趣に富むと共に水のレンズ作用で内球体が大きく鮮明に見え、発光の色彩変化や明暗変化などによる視覚的変化を楽しみながら遊ぶことのできるＬＥＤ内蔵水充填弾性ボールを提供する。【解決手段】発光装置４を内蔵する内球体３と、透明または半透明の弾力性を有する中空状の外球体１とからなり、外球体１の中空部２に水５が充填され、内球体３が外球体１の中空部２の水中に浮遊している。【選択図】図２
0003180946.tif 000002
【実用新案登録請求の範囲】
【請求項１】
発光装置を内蔵する内球体と、透明または半透明の弾力性を有する中空外球体とからなり、中空外球体の中空部に水が充填され、内球体が中空外球体の中空部の水中に浮遊していることを特徴とするＬＥＤ内蔵水充填弾性ボール。
【請求項２】
前記発光装置は、振動センサーと、色の異なる複数個のＬＥＤと、電池と、一定時間発光させる制御回路と、回路基板とから構成し、内球体の内壁面の支持片に支持されていることを特徴とする請求項１に記載のＬＥＤ内蔵水充填弾性ボール。
【請求項３】
前記内球体は、外面に文字や記号、絵柄、キャラクターなどの表示面が施されていることを特徴とする請求項１または２に記載のＬＥＤ内蔵水充填弾性ボール。
【考案の詳細な説明】
【技術分野】
【０００１】
本考案は、投げたり、転がしたりして遊ぶ玩具用の弾性ボールに関するものであり、さらに詳しくは、内球体と外球体とからなり、衝撃や振動などの外力を受けると内球体内のＬＥＤが点滅して、視覚的な変化を楽しみながら遊べるＬＥＤ内蔵水充填弾性ボールに関するものである。
【背景技術】
【０００２】
従来から、子供の遊び用具の一つに、弾力性に優れた材料で形成した中実の合成樹脂製ボールを床面や壁面に投げつけ、ボールの反発作用によって生じる規則的に跳ね返るボールや不規則に跳ね返るボールあるいは予期せぬ方向に跳ね返るボールをキャッチする遊びが、主として男の子の遊びとして古くから行われている。
【０００３】
この遊びで使用する弾性ボールは、赤色、青色、緑色、黄色など１色の中実の合成樹脂製ボールであったが、次第に２色や３色の色彩に富んだものに改良されてきており、あるいはボールの表面に文字や記号、絵柄、人気キャラクターなどを印刷したもの、さらには透明または半透明の弾性ボールの内部にきらきらとした装飾片やフィギュアなどを封入した趣味性や娯楽性に重点を置いたものも提案されている。
【０００４】
一方、最近では内球体と外球体とで構成し、内球体の内部に発光装置を収容しておき、衝撃や振動などの外力を受けることにより振動センサーが働いてＬＥＤが点滅し、その点滅による色彩変化や明暗変化などによる視覚的変化を楽しむ発光ボールが提供されている（例えば、特許文献１参照）。
【先行技術文献】
【特許文献】
【０００５】
【特許文献１】登録実用新案第３０９５４７２号公報
【考案の概要】
【考案が解決しようとする課題】
【０００６】
しかしながら、前記特許文献１の発光ボール２１は、図３に示すように、スイッチ２２、発光素子２３、電池２４、制御回路２５とこれらのパーツ類を搭載する回路基板２６からなる発光装置２７を収容するケース２８は球状コア２９に内蔵されており、その球状コア２９はシェル３０に被覆されているから、ケース２８は自転することがなく、球状コア２９の回転と同じになり、発光ボール２１が転がって発光しても、その動きが単調であるから、面白味に欠けるといった問題点があった。
【０００７】
本考案は、上記のような問題点を解決することを課題として開発されたもので、外力を受けると発光装置を内蔵する内球体が外球体の水中で自在に回転して、興趣に富むと共に水のレンズ作用で内球体が大きく鮮明に見え、発光の色彩変化や明暗変化などによる視覚的変化を楽しみながら遊ぶことのできるＬＥＤ内蔵水充填弾性ボールを提供することを目的とするものである。
【課題を解決するための手段】
【０００８】
上記の課題を解決し、その目的を達成する手段として、本考案は発光装置を内蔵する内球体と、透明または半透明の弾力性を有する中空外球体とからなり、中空外球体の中空部に水が充填され、内球体が中空外球体の中空部の水中に浮遊していることを特徴とするＬＥＤ内蔵水充填弾性ボールを開発し、採用した。
【０００９】
また、上記のように構成したＬＥＤ内蔵水充填弾性ボールにおいて、前記発光装置は、振動センサーと、色の異なる複数のＬＥＤと、電池と、一定時間発光させる制御回路と、回路基板とから構成し、内球体の内壁面の支持片に支持されていることを特徴とするＬＥＤ内蔵水充填弾性ボール、および前記内球体は、外面に文字や記号、絵柄、キャラクターなどの表示面が施されていることを特徴とするＬＥＤ内蔵水充填弾性ボールを開発し、採用した。
【考案の効果】
【００１０】
本考案のＬＥＤ内蔵水充填弾性ボールは、発光装置を内蔵した内球体が外球体の内部の水中に浮遊しているから、外力が加わると内球体は自転すると共にＬＥＤが点滅して、自在に回転することで明るくなったり、暗くなったりして美麗な視覚的変化を楽しみながら遊ぶことができる。また、内球体は水を通して見ることから、レンズ作用によって実際の大きさより約１５０％大きく見えることになり、ＬＥＤの点滅もより大きく見えると共に、内球体に設けられたキャラクターなどの表示面も大きくはっきり鮮明に見え表示効果が向上する。さらに、弾性ボールを床面や壁面に投げても、内球体が水中に浮遊しているから、水が緩衝作用の働きをして内球体が直接床面や壁面に接触することがないので、発光装置の損傷の恐れがなく、長い期間にわたって使用できる。
【図面の簡単な説明】
【００１１】
【図１】本考案のＬＥＤ内蔵水充填弾性ボールの正面図である。
【図２】本考案のＬＥＤ内蔵水充填弾性ボールの縦断正面図である。
【図３】従来の発光体ボールの断面図である。
【考案を実施するための最良の形態】
【００１２】
以下に、本考案の実施の形態を添付図面に基づいて説明すれば、本考案に係るＬＥＤ内蔵水充填弾性ボールは、大別して外径の大きな中空の外球体１と、その外球体１の中空部２に封入される小さな内球体３と、内球体３の内部に内蔵する発光装置４とで構成されている。
【００１３】
上記の外球体１は、ポリブタジエン樹脂にケイ酸などの様々な添加物を加えた弾力性に優れた透明または半透明の内部を中空部２に形成したものであり、その中空部２には水５が充填されて満杯の状態になっている。
【００１４】
上記の内球体３は、硬質プラスチック製で上部の半球体３ａと下部の半球体３ｂを一体接合して球状に形成したものであり、その内部空間部６に後述する発光装置４を内蔵するものである。すなわち、下部半球体３ｂの内周壁面の４箇所に発光装置４を支持する支持片３ｃ，３ｃ，３ｃ，３ｃを突設してある。また、上部半球体３ａの外周上面部には文字、記号、絵柄、人気キャラクターなどをプリントした表示面７を施してある。この内球体３は前記外球体１の中空部の水中５に浮遊している。
【００１５】
上記の発光装置４は、外力による振動や衝撃でＯＮする螺旋筒状体の振動センサー８と、赤色と青色のＬＥＤ９，９を方形状の回路基板１０の上面に対向するように配し、緑色のＬＥＤ９を下面に配して下方を照らすようにしてある。その各ＬＥＤ９，９，９の駆動動力源となる３個のボタン電池１１，１１，１１を回路基板１０の下面中央部に重ね、各ＬＥＤ９，９，９は回路基板１０のＩＣチップ１２によって予め設定されている発光モードを自動的に起動することにより各ＬＥＤ９，９，９を点滅させるようになっている。
【００１６】
このように構成した本考案の実施形態の使用例を作用、効果と共に説明すると、床面や壁面に弾性ボールをぶつけると、衝撃または振動作用が生じ、外球体１の内部の水中に浮遊する内球体３が自転すると共に、振動センサー８が働いて内球体３に内蔵された赤色、青色、緑色の３個のＬＥＤ９，９，９がそれぞれ回転しながら点滅することになり、その点滅が色彩豊かで興趣に富み、色彩変化および明暗変化による照明になり、視覚的変化を楽しみながら遊ぶことができ面白味が増加する。
【００１７】
また、内球体３の下部半球体３ｂの内壁面に突設する支持片３ｃ，３ｃ，３ｃ，３ｃによって、発光装置４を支持しているので、発光装置４を構成する各パーツ類が損傷したりすることがなく、長期にわたって使用できる。
【００１８】
さらに、内球体３の上部半球体３ａの上部外面にプリントした文字、記号、絵柄、人気キャラクターなどの表示面７が水を通して見ることから、レンズ作用により大きく見せることができ表示効果が一段と向上する。
【００１９】
また、外球体１は、それ自体の材料の持つ弾力性と中空部２に充填した水５とが相俟って強い弾力性により予期せぬバウンドで窓ガラスなどの物品に当たっても破損する虞がないものである。
【００２０】
以上、本考案の実施の形態について説明したが、本考案はこれらの実施例に限定されるものではなく、考案の目的を達成でき、かつ考案の要旨を逸脱しない範囲内で種々の設計変更が可能であり、それらも全て本考案の範囲内に包含されるものである。
【産業上の利用可能性】
【００２１】
本考案は、子供が遊ぶ玩具用の弾性ボールとして使用できるのは勿論であるが、ＬＥＤが点滅して転がることから、ボールを見失うことがなくなり、グランドゴルフやゲートボールの夜間練習用のボールとして有効的に利用できるものである。
【符号の説明】
【００２２】
１    外球体    
２    中空部
３    内球体
３ａ  上部半球体
３ｂ  下部半球体
３ｃ  支持片    
４    発光装置    
５    水
６    内部空間部  
７    表示面
８    振動センサー
９    ＬＥＤ
１０  回路基板
１１  電池
１２  制御回路
【図１】
0003180946.tif 000003
【図２】
0003180946.tif 000004
【図３】
0003180946.tif 000005